(57)【要約】      （修正有）【課題】複数年に亘って、毎月の予定やメモ等を一目で見ることができる人生記録表及び人生記録帳を提供する。【解決手段】一方向に所定の日数分の記入欄を設けることにより単位記入欄を構成し、他方向に複数年に亘って前記単位記入欄を配置したことを特徴とする。【効果】複数年に亘る予定、自己の所感又は自己の行動等の評価を一度に見渡して比較することができる。また、誕生日や車検の日も一度で把握することができる。また、コメント欄の記載に基づいて過去の記憶を呼び戻すことにより、脳の活性化につながる。【選択図】図１
0003106742.tif 000002
【実用新案登録請求の範囲】
【請求項１】
一方向に所定の日数分の記入欄を設けることにより単位記入欄を構成し、他方向に複数年に亘って前記単位記入欄を配置したことを特徴とする人生記録表。
【請求項２】
前記単位記入欄は、毎日の評価欄及び毎日のコメント欄を備えたことを特徴とする請求項１に記載の人生記録表。
【請求項３】
前記単位記入欄は、体調記入欄を備えたことを特徴とする請求項１又は２に記載の人生記録表。
【請求項４】
前記単位記入欄は、１ヶ月単位で構成され、毎月の全体評価欄を備えたことを特徴とする請求項１乃至３の何れかに記載の人生記録表。
【請求項５】
請求項１乃至４の何れかに記載の複数の人生記録表を綴じたことを特徴とする人生記録帳。
【請求項６】
前記人生記録表の前記毎月の全体表下欄の評価を、年毎に記入することができる集計表を備えたことを特徴とする請求項５に記載の人生記録帳。
【請求項７】
前記人生記録表を見開き頁で表示できるように構成され、前記毎日の評価欄、前記毎日のコメント欄、前記毎月の全体評価欄又は前記体調記入欄に貼着可能なシールを備えたことを特徴とする請求項５又は６に記載の人生記録帳。
【考案の詳細な説明】
【技術分野】
【０００１】
本考案は、毎日の予定やメモを記入するための人生記録表及び人生記録帳に関するものである。
【背景技術】
【０００２】
毎日の予定やメモ等を、１月から１２月まで毎月に順に記録する手帳やカレンダー等がある。
しかしながら、前記手帳等は、その年のある月の予定やメモ等は見ることができても、何年か前の同一月の同一日に何があったかという事実等、複数年に亘って見ることができなかった。
【考案の開示】
【考案が解決しようとする課題】
【０００３】
そこで、本考案は、複数年に亘って、毎月の予定やメモ等を一目で見ることができる人生記録表及び人生記録帳を提供することを目的とする。
【課題を解決するための手段】
【０００４】
上記課題を解決するために、本考案者は鋭意検討の結果、下記の通り解決手段を見出した。
即ち、本考案の人生記録表は、請求項１に記載の通り、一方向に所定の日数分の記入欄を設けることにより単位記入欄を構成し、他方向に複数年に亘って前記単位記入欄を配置したことを特徴とする。
また、請求項２に記載の人生記録表は、請求項１に記載の人生記録表において、前記単位記入欄は、毎日の評価欄及び毎日のコメント欄を備えたことを特徴とする。
また、請求項３に記載の人生記録表は、請求項１又は２に記載の人生記録表において、前記単位記入欄は、体調記入欄を備えたことを特徴とする。
また、請求項４に記載の人生記録表は、請求項１乃至３の何れかに記載の人生記録表において、前記単位記入欄は、１ヶ月単位で構成され、毎月の全体評価欄を備えたことを特徴とする。
本考案の人生記録帳は、請求項５に記載の通り、請求項１乃至４の何れかに記載の複数の人生記録表を綴じたことを特徴とする。
また、請求項６に記載の人生記録帳は、請求項５に記載の人生記録帳において、前記人生記録表の前記毎月の全体表下欄の評価を、年毎に記入することができる集計表を備えたことを特徴とする。
また、請求項７に記載の人生記録帳は、請求項５又は６に記載の人生記録帳において、前記人生記録表を見開き頁で表示できるように構成され、前記毎日の評価欄、前記毎日のコメント欄、前記毎月の全体評価欄又は前記体調記入欄に貼着可能なシールを備えたことを特徴とする。
【考案の効果】
【０００５】
本考案によれば、複数年に亘る予定、自己の所感又は自己の行動等の評価を一度に見渡して比較することができる。また、誕生日や車検の日も一度で把握することができる。また、コメント欄の記載に基づいて過去の記憶を呼び戻すことにより、脳の活性化につながる。
また、過去複数年の評価欄を見比べることにより、あの時に比べれば良くなったとか、あの時は楽しかった等を思い出し、あの時のように良くしようという前向きな気持ちで臨むことで、明るく、楽しく、積極的な人生を送ることができる。
【考案を実施するための最良の形態】
【０００６】
本考案の第１の実施の形態は、一方向に所定の日数分の記入欄を設けることにより単位記入欄を構成し、他方向に複数年に亘って前記単位記入欄を配置したものである。本実施の形態によれば、同じ日の記録を複数年に亘って一覧することができる。
また、本考案の第２の実施の形態は、第１の実施の形態において、前記単位記入欄は、毎日の評価欄及び毎日のコメント欄を備えたものである。本実施の形態によれば、複数年に亘る自己の所感や自己の行動の評価等を複数年に亘って一覧することができる。
また、本考案の第３の実施の形態は、第１又は２に記載の実施の形態において、前記単位記入欄は、体調記入欄を備えたものである。本実施の形態によれば、所定の日数における体調について、複数年に亘って一覧することができる。
また、本考案の第４の実施の形態は、第１乃至３の何れかに記載の実施の形態において、前記単位記入欄は、１ヶ月単位で構成され、毎月の全体評価欄を備えたものである。本実施の形態によれば、複数年の予定や評価を月単位で一覧することができる。
本考案の第５の実施の形態の人生記録帳は、第１乃至４の何れかに記載の複数の人生記録表を綴じたものである。本実施の形態によれば、１月から１２月までの人生記録表がばらばらにならず、管理が容易になる。
また、第６の実施の形態は、第５の実施の形態において、前記人生記録表の前記毎月の全体表下欄の評価を、年毎に記入することができる集計表を備えたものである。本実施の形態によれば、複数年の毎月の全体評価を一覧することができる。
また、第７の実施の形態は、第５又は第６の実施の形態において、前記人生記録表を見開き頁で表示できるように構成され、前記毎日の評価欄、前記毎日のコメント欄、前記毎月の全体評価欄又は前記体調記入欄に貼着可能なシールを備えたものである。本実施の形態によれば、複数年の予定等が見開きで一覧することができ、各欄への記入をシールを貼ることで省力化することができる。
【実施例】
【０００７】
次に、本考案の人生記録表について図１を参照して説明する。
図１に示されるものは、２００４年〜２００６年の１月の人生記録表１０を示すものである。月の単位記入欄１の行方向は、日毎に仕切られており、毎日の自己の所感や自己の行動等の評価を記入するための評価欄２及び毎日のコメント欄３が設けられている。また、月の単位記入欄１の下方には、月の全体評価欄４が設けられている。
【０００８】
この記入欄への記録方法の具体例を次に説明する。ここでは、記入者がゴルフ場に勤めるキャディだとする。
このキャディが、２００４年１月１４日（水曜日）に開かれたゴルフコンペで、お客さんのボールを見失ってしまいロストボール扱いとなり、お客さんが優勝を逃してしまい、暗い気持ちになったとすると、その日の評価欄２には、◎、○、△、×の４段階評価であれば、×を記入し、コメント欄３には「ロストボール」と記入する。翌日、お客さんに良いアドバイスができてお客さんに喜んで貰えたため明るい気持ちになったとすると、その日の評価欄２には◎を記入し、コメント欄３には「○○さんにほめられる」と記入する。この作業を繰り返し、月末に、毎日の評価欄２を見て、月の全体評価欄４に、○を記入する。
そして、２００６年１月に人生記録表１０を見ると、１年前の２００５年１月の月の全体評価欄４は△なので、つらかったとか、２年前の２００４年１月の月の全体評価欄４は○なので、まあまあだったというように振り返ることができる。また、当時のコメント欄３を見て、そこから記憶を紐解くように努力すれば脳の活性化につながる。
尚、上記実施例では、評価欄への記入方法は、◎、○、△、×の４段階評価としたが、この方法について特に限定するものではない。
【０００９】
また、コメント欄３には、コメントだけでなく、誰かの誕生日とか、結婚記念日とか、子供の入学式、法事、感情を表す絵文字等を記入、或いは、予め作成しておいたシール等を貼り付けてもよい。また、車を購入する場合に、納車日、定期点検、車検の日を記入するようにしてもよい。
また、本実施例では、月全体の評価欄４の下に、その月の体重、身長、血圧及び血糖値を記入する体調記入欄５を設けるようにしている。これにより、毎年の同じ月の健康状態も一目で振り返ることができる。
【００１０】
上記、人生記録表１０の１〜１２月分を綴じて１冊の人生記録帳とすれば、ばらばらになることがないので管理が容易になる。更に、図２に示すように見開きで人生記録表１０を配置すれば、より多くの人生記録表１０が一覧できる。
また、この人生記録帳に、図３に示すように、行方向を年で仕切り、列方向を月で仕切り、各月全体の評価を記入した人生集計表２０を一緒に綴じるようにすれば、自分の人生の評価が一目でわかる。
更に、この記録帳には、上記コメント欄に貼り付けるシール、このシールを増刷するためのデータが記録されたＣＤ−ＲＯＭ等の記録媒体を添付してもよい。
【図面の簡単な説明】
【００１１】
【図１】本考案の人生記録表の一実施例を説明するための図
【図２】本考案の人生記録表の一実施例を説明するための図
【図３】本考案の人生記録帳に添付する人生集計表を説明するための図
【符号の説明】
【００１２】
１    月単位の毎日の記入欄
２    毎日の評価欄
３    毎日のコメント欄
４    月の全体評価欄
５    体調記入欄
１０    人生記録表
２０    人生集計表
【図１】
0003106742.tif 000003
【図２】
0003106742.tif 000004
【図３】
0003106742.tif 000005